(57)【要約】【課題】商品価値の低下を防止することができる外付け部品及び携帯端末装置を提供すること。【解決手段】携帯端末装置１００に取り付けられる外付け部品１４０は、携帯端末装置１００の凸形状面１１１に取り付けられる湾曲面１４１と、携帯端末装置１００に固定される取付部１４２ａ及び１４２ｂとを有する。そして、湾曲面１４１は、取付部１４２ａ及び１４２ｂ間の幅が、携帯端末装置１００の固定部１１２ａ及び１１２ｂ間の幅よりも狭くなるように湾曲する。【選択図】図４
2012065108.tif 000002
【特許請求の範囲】
【請求項１】
携帯端末装置に取り付けられる外付け部品であって、
前記携帯端末装置の凸形状の面に取り付けられる湾曲面と、
前記湾曲面の両端に形成され、前記携帯端末装置に固定される取付部と
を有し、
前記湾曲面は、
前記取付部間の幅が、該取付部を固定する携帯端末装置の固定部間の幅よりも狭くなるように湾曲する
ことを特徴とする外付け部品。
【請求項２】
前記湾曲部は、
前記取付部から該湾曲面の頂点までの高さが、前記携帯端末装置の固定部から前記凸形状の面の頂点までの高さよりも高くなるように湾曲する
ことを特徴とする請求項１に記載の外付け部品。
【請求項３】
前記取付部は、
前記固定部に挿入される方向に隆起した突起を有する
ことを特徴とする請求項１又は２に記載の外付け部品。
【請求項４】
外付け部品が取り付けられる携帯端末装置であって、
前記携帯端末装置に固定される取付部を両端に有する凹形状の外付け部品と、
前記取付部間の幅よりも広く、前記取付部間の幅を押し広げて前記外付け部品が取り付けられる凸形状の面と、
前記凸形状の面の両端に形成され、前記外付け部品の取付部を固定する固定部と
を有することを特徴とする携帯端末装置。
【請求項５】
前記固定部は、
前記外付け部品が挿入される方向に削られた凹形状であり、
前記取付部は、
前記固定部に挿入される方向に隆起した突起を有する
ことを特徴とする請求項４に記載の携帯端末装置。
【発明の詳細な説明】
【技術分野】
【０００１】
本発明は、外付け部品及び携帯端末装置に関する。
【背景技術】
【０００２】
携帯電話機などの携帯端末装置は、同一の機種に多数の外装色が用意されていることがある。これにより、ユーザは、多数のデザインの中から、自身の気に入ったデザインを選択することが可能になる。また、近年の携帯端末装置には、外装にパネル等の外付け部品が取り付け自在である機種が存在する。このような携帯端末装置においては、外装の一部又は全部をユーザの好みによって変更することができる。
【先行技術文献】
【特許文献】
【０００３】
【特許文献１】特開２０００−２３６３７７号公報
【発明の概要】
【発明が解決しようとする課題】
【０００４】
しかしながら、上記従来の携帯端末装置には、外付け部品が筐体に安定して装着されない場合があるという問題がある。具体的には、携帯端末装置の筐体や外付け部品は、製造時の個体差があるので、筐体の形状と外付け部品の形状とが一致するとは限らない。そのため、携帯端末装置の筐体に外付け部品が取り付けられた状態において、筐体と外付け部品との間に隙間ができ、外付け部品がガタつく場合がある。このように外付け部品が筐体に安定して装着されない場合には、携帯端末装置が安手に感じられ、商品価値が低下するという問題を招く。
【０００５】
開示の技術は、上記に鑑みてなされたものであって、商品価値の低下を防止することができる外付け部品及び携帯端末装置を提供することを目的とする。
【課題を解決するための手段】
【０００６】
本願の開示する外付け部品は、一つの態様において、携帯端末装置の凸形状の面に取り付けられる湾曲面と、湾曲面の両端に形成され、携帯端末装置に固定される取付部とを有し、湾曲面は、取付部間の幅が、取付部を固定する携帯端末装置の固定部間の幅よりも狭くなるように湾曲する。
【発明の効果】
【０００７】
本願の開示する携帯端末装置の一つの態様によれば、商品価値の低下を防止することができるという効果を奏する。
【図面の簡単な説明】
【０００８】
【図１】図１は、実施例に係る携帯端末装置の外観斜視図である。
【図２】図２は、外付け部品の外観斜視図である。
【図３】図３は、外付け部品が可動側筐体に取り付けられる状態の外観斜視図である。
【図４】図４は、図１のＩ−Ｉ線における断面を模式的に示す図である。
【図５】図５は、外付け部品における取付部の拡大図である。
【発明を実施するための形態】
【０００９】
以下に、本願の開示する外付け部品及び携帯端末装置の実施例を図面に基づいて詳細に説明する。なお、この実施例により本願の開示する外付け部品及び携帯端末装置が限定されるものではない。
【実施例】
【００１０】
まず、図１を用いて、本実施例に係る携帯端末装置の外観について説明する。図１は、本実施例に係る携帯端末装置の外観斜視図である。図１に示すように、本実施例に係る携帯端末装置１００は、折り畳み型携帯電話機であり、可動側筐体１１０と固定側筐体１２０とを有する。可動側筐体１１０と固定側筐体１２０とは、連結部１３０により折り畳み自在に連結される。なお、図１は、固定側筐体１２０に対して可動側筐体１１０が折り畳まれた状態の例を示している。
【００１１】
可動側筐体１１０は、図示しない表示部等が設けられる。また、可動側筐体１１０の外装部分には、外付け部品１４０が取り付け可能である。すなわち、ユーザは、図１に示した携帯端末装置１００を用いる場合には、可動側筐体１１０に外付け部品１４０を着脱することができる。なお、図１は、可動側筐体１１０に外付け部品１４０が取り付けられた状態の例を示している。
【００１２】
固定側筐体１２０は、図示しない多機能キー、決定キー、ダイヤルキー、テンキー等の操作部や、各種のサイドキー１２１等が設けられる。これら可動側筐体１１０及び固定側筐体１２０は、例えば、軽量で高強度のマグネシウム合金等の材料により箱形状に形成されている。
【００１３】
次に、図２を用いて、外付け部品１４０について説明する。図２は、外付け部品１４０の外観斜視図である。外付け部品１４０は、例えば、不透明な部材や、無色又は有色である透明又は半透明の部材である。これにより、ユーザは、デザインが異なる多種の外付け部品１４０の中から、自身の気に入ったデザインの外付け部品１４０を選択することができる。その結果、携帯端末装置１００は、商品価値を高めることができるので、ユーザの購買意欲を高めることができる。
【００１４】
図２に示すように、外付け部品１４０は、Ｕ字形状であり、湾曲面１４１と、取付部１４２ａ及び１４２ｂとを有する。湾曲面１４１は、可動側筐体１１０に取り付けられた場合に、可動側筐体１１０と対向する面である。かかる湾曲面１４１は、外付け部品１４０の両側において湾曲することにより、外付け部品１４０をＵ字型に形成する。
【００１５】
取付部１４２ａ及び１４２ｂは、外付け部品１４０の両端に形成される。かかる取付部１４２ａ及び１４２ｂは、外付け部品１４０が可動側筐体１１０に取り付けられる場合に、可動側筐体１１０の側面に係止される。すなわち、取付部１４２ａ及び１４２ｂが可動側筐体１１０に係止されることにより、外付け部品１４０は、可動側筐体１１０に取り付けられる。なお、取付部１４２ａ及び１４２ｂの形状については、図５を用いて後述する。
【００１６】
次に、図３を用いて、外付け部品１４０が可動側筐体１１０に取り付けられる状態について説明する。図３は、外付け部品１４０が可動側筐体１１０に取り付けられる状態の外観斜視図である。
【００１７】
図３に示すように、可動側筐体１１０は、凸形状面１１１が形成される。凸形状面１１１は、滑らかな凸形状の面であり、外付け部品１４０が取り付けられた場合に、湾曲面１４１と対向する。図３に示した例では、凸形状面１１１は、可動側筐体１１０の外側から外付け部品１４０の形状と略同一の形状を切削した様な形態を有する。
【００１８】
また、凸形状面１１１には、外付け部品１４０の取付部１４２ａを係止する固定部１１２ａと、取付部１４２ｂを係止する固定部１１２ｂとが形成される。固定部１１２ａ及び１１２ｂは、凹形状の窪みである。すなわち、図３に示すように、固定部１１２ａが外付け部品１４０の取付部１４２ａを係止するとともに、固定部１１２ｂが取付部１４２ｂを係止することにより、外付け部品１４０は、可動側筐体１１０に取り付けられる。なお、固定部１１２ａ及び１１２ｂの形状については、後述する。
【００１９】
次に、図４を用いて、外付け部品１４０について説明する。図４は、図１のＩ−Ｉ線における断面を模式的に示す図である。図４に示した例において、破線で示す外付け部品１４０ａは、可動側筐体１１０に取り付けられていない場合における外付け部品１４０の形状を示す。また、実線で示す外付け部品１４０ｂは、可動側筐体１１０に取り付けられた場合における外付け部品１４０の形状を示す。
【００２０】
図４の外付け部品１４０ａに示すように、外付け部品１４０は、可動側筐体１１０に取り付けられていない場合には、取付部１４２ａと取付部１４２ｂとの間における幅Ｗ１１が、可動側筐体１１０の固定部１１２ａと固定部１１２ｂとの間における幅Ｗ１２よりも狭い。言い換えれば、外付け部品１４０の湾曲面１４１は、取付部１４２ａ及び１４２ｂ間の幅Ｗ１１が、固定部１１２ａ及び１１２ｂ間の幅Ｗ１２よりも狭くなるように湾曲している。
【００２１】
これにより、外付け部品１４０の湾曲面１４１は、可動側筐体１１０に取り付けられる場合に、凸形状面１１１の形状に沿って変形する。言い換えれば、外付け部品１４０は、取付部１４２ａ及び１４２ｂ間の幅Ｗ１１方向に広がり、凸形状面１１１の外面形状に沿って可動側筐体１１０に取り付けられる。すなわち、図４の外付け部品１４０ｂに示すように、外付け部品１４０は、可動側筐体１１０の凸形状面１１１との間に隙間が形成されずに可動側筐体１１０に取り付けられる。このため、例えば、製造時の個体差等によって、可動側筐体１１０の形状と外付け部品１４０の形状とが一致しない場合であっても、可動側筐体１１０に取り付けられた外付け部品１４０はガタつかない。その結果、本実施例に係る携帯端末装置１００は、外付け部品１４０が取り付けられた場合であっても、安手に感じられることを防止でき、商品価値が低下することを防止することができる。
【００２２】
さらに、取付部１４２ａ及び１４２ｂ間の幅Ｗ１１が、固定部１１２ａ及び１１２ｂ間の幅Ｗ１２よりも狭いことにより、外付け部品１４０が可動側筐体１１０に取り付けられた場合に、外付け部品１４０の両端から可動側筐体１１０を挟む応力が働く。これにより、本実施例に係る携帯端末装置１００においては、可動側筐体１１０から外付け部品１４０を外れにくくすることができる。
【００２３】
また、図４に示すように、外付け部品１４０は、可動側筐体１１０に取り付けられていない場合には、取付部１４２ａから湾曲面１４１の頂点Ｔ１０までの高さＨ１１が、固定部１１２ａから凸形状面１１１の頂点Ｔ１０までの高さＨ１２よりも高い。言い換えれば、外付け部品１４０の湾曲面１４１は、外付け部品１４０の高さＨ１１が凸形状面１１１の高さＨ１２よりも高くなるように湾曲している。例えば、凸形状面１１１における固定部１１２ａから固定部１１２ｂまでの長さと、湾曲面１４１における取付部１４２ａから取付部１４２ｂまでの長さとが略同一であることが望ましい。
【００２４】
これにより、外付け部品１４０が可動側筐体１１０に取り付けられて凸形状面１１１の形状に沿って変形した場合に、取付部１４２ａ及び１４２ｂは、可動側筐体１１０の固定部１１２ａ及び１１２ｂに位置する。すなわち、外付け部品１４０の高さＨ１１が凸形状面１１１の高さＨ１２よりも高いことにより、外付け部品１４０が可動側筐体１１０に取り付けられた場合に、取付部１４２ａ及び１４２ｂは、固定部１１２ａ及び１１２ｂに係止されることができる。
【００２５】
次に、図４及び図５を用いて、可動側筐体１１０の固定部１１２ａ及び１１２ｂと、外付け部品１４０の取付部１４２ａ及び１４２ｂについて説明する。図５は、外付け部品１４０における取付部１４２ｂの拡大図である。なお、固定部１１２ａと固定部１１２ｂとは同様の形状であり、取付部１４２ａと取付部１４２ｂとは同様の形状であるので、以下では、固定部１１２ｂ及び取付部１４２ｂを例に挙げて説明する。
【００２６】
図４に示すように、可動側筐体１１０の固定部１１２ｂは、緩やかな斜面により形成される。具体的には、固定部１１２ｂは、外付け部品１４０が取り付けられる際に取付部１４２ｂが挿入される方向に削られた斜面により形成される。また、図５に示すように、取付部１４２ｂは、緩やかな斜面により形成される。具体的には、取付部１４２ｂは、外付け部品１４０が取り付けられる際に挿入される方向に隆起した斜面により形成される。すなわち、外付け部品１４０が可動側筐体１１０に取り付けられた場合には、取付部１４２ｂの斜面は、固定部１１２ｂの斜面に係止される。
【００２７】
これにより、外付け部品１４０は、可動側筐体１１０に容易に取り付けられることができる。また、外付け部品１４０は、可動側筐体１１０から容易に取り外すことができる。すなわち、ユーザは、大きな操作力を要することなく、外付け部品１４０を着脱することができる。また、小さい操作力によって外付け部品１４０を可動側筐体１１０に取り外すことができるので、固定部１１２ａ及び１１２ｂや、外付け部品１４０の取付部１４２ａ及び１４２ｂが破損することを防止することができる。
【００２８】
上述してきたように、本実施例における外付け部品１４０は、可動側筐体１１０の凸形状面１１１に取り付けられる湾曲面１４１と、可動側筐体１１０の固定部１１２ａ及び１１２ｂに固定される取付部１４２ａ及び１４２ｂとを有する。そして、外付け部品１４０の湾曲面１４１は、取付部１４２ａ及び１４２ｂ間の幅が、可動側筐体１１０の固定部１１２ａ及び１１２ｂ間の幅よりも狭くなるように湾曲する。これにより、外付け部品１４０は、可動側筐体１１０に取り付けられる場合に、凸形状面１１１の形状に沿って変形する。すなわち、外付け部品１４０は、可動側筐体１１０の凸形状面１１１との間に隙間が形成されずに可動側筐体１１０に取り付けられることができる。その結果、製造時の個体差等によって、可動側筐体１１０の形状と外付け部品１４０の形状とが一致しない場合であっても、可動側筐体１１０に取り付けられた外付け部品１４０はガタつかない。以上のことから、本実施例に係る携帯端末装置１００は、外付け部品１４０が取り付けられた場合であっても、安手に感じられることを防止でき、商品価値が低下することを防止することができる。
【００２９】
また、本実施例における外付け部品１４０は、取付部１４２ａ及び１４２ｂから湾曲面１４１の頂点までの高さが、固定部１１２ａ及び１１２ｂから凸形状面１１１の頂点までの高さよりも高い。これにより、外付け部品１４０が可動側筐体１１０に取り付けられて凸形状面１１１の形状に沿って変形した場合に、取付部１４２ａ及び１４２ｂは、固定部１１２ａ及び１１２ｂに位置し、固定部１１２ａ及び１１２ｂに係止されることができる。
【００３０】
また、本実施例における外付け部品１４０の取付部１４２ａ及び１４２ｂは、緩やかな斜面により形成され、可動側筐体１１０の固定部１１２ａ及び１１２ｂは、緩やかな斜面により形成される。これにより、外付け部品１４０は、可動側筐体１１０に容易に着脱されることができる。その結果、本実施例に係る携帯端末装置１００においては、固定部１１２ａ及び１１２ｂや、外付け部品１４０の取付部１４２ａ及び１４２ｂが破損することを防止することができる。
【００３１】
すなわち、本実施例に係る携帯端末装置１００は、取付部１４２ａ及び１４２ｂ間の幅が、固定部１１２ａ及び１１２ｂ間の幅よりも狭いことにより、可動側筐体１１０から外付け部品１４０を外れにくくすることができる。さらに、携帯端末装置１００は、取付部１４２ａ及び１４２ｂと、固定部１１２ａ及び１１２ｂとが、緩やかな斜面により形成されることにより、可動側筐体１１０から外付け部品１４０を容易に着脱されることができる。すなわち、本実施例に係る携帯端末装置１００は、外付け部品１４０が可動側筐体１１０に取り付けられた状態においては、可動側筐体１１０から外付け部品１４０を外れにくくすることができる。さらに、ユーザが可動側筐体１１０から外付け部品１４０を取り外す際に、例えば、固定部１１２ａと取付部１４２ａとの間に爪やピン等は挟みこんで上方に応力を働かせた場合には、可動側筐体１１０から外付け部品１４０を容易に取り外すことができる。言い換えれば、ユーザは、本実施例に係る携帯端末装置１００を用いた場合には、外付け部品１４０を容易に可動側筐体１１０に取り付けることができるとともに、外付け部品１４０を取り外す操作を行った際には容易に取り外すことができる。
【００３２】
なお、上記実施例では、可動側筐体１１０の外装の一部に外付け部品１４０が着脱される例を示した。しかし、本願の開示する携帯端末装置は、可動側筐体の外装の一部以外に外付け部品が着脱される場合にも適用することができる。例えば、本願の開示する携帯端末装置は、可動側筐体の外装の全面に外付け部品が着脱される場合にも適用することができる。また、例えば、本願の開示する携帯端末装置は、固定側筐体の外装の一部又は全面に外付け部品が着脱される場合にも適用することができる。また、例えば、本願の開示する携帯端末装置は、可動側筐体や固定側筐体の側面の一部又は全面に外付け部品が着脱される場合にも適用することができる。
【００３３】
また、上記実施例では、外付け部品１４０の取付部１４２ａ及び１４２ｂが、可動側筐体１１０の固定部１１２ａ及び１１２ｂに係止されることにより、外付け部品１４０が可動側筐体１１０に固定される例を示した。しかし、本願の開示する携帯端末装置は、外付け部品１４０が可動側筐体１１０にネジにより締結される場合や、取付部１４２ａ及び１４２ｂが固定部１１２ａ及び１１２ｂに嵌合する場合にも適用することができる。
【００３４】
また、上記実施例では、本願の開示する携帯端末装置を折り畳み型の携帯電話機に適用する例を示したが、本願の開示する携帯端末装置は、折り畳み型以外の携帯電話機に適用することもできる。例えば、本願の開示する携帯端末装置は、筐体が分割されていないストレート型や、一方の筐体に対して他方の筐体をスライド自在としたスライド型の携帯端末装置等にも同様に適用することができる。
【００３５】
また、上記実施例では、本願の開示する携帯端末装置を携帯電話機に適用する例を説明したが、本願の開示する携帯端末装置は、これに限定されるものではない。例えば、本願の開示する携帯端末装置は、小型情報処理端末、小型音楽再生装置、携帯テレビ、携帯型ゲーム機等の他の各種携帯端末装置にも適用することができる。
【符号の説明】
【００３６】
１００  携帯端末装置
１１０  可動側筐体
１１１  凸形状面
１１２ａ、１１２ｂ  固定部
１２０  固定側筐体
１２１  サイドキー
１３０  連結部
１４０  外付け部品
１４０ａ、１４０ｂ  外付け部品
１４１  湾曲面
１４２ａ、１４２ｂ  取付部
【図１】
2012065108.tif 000003
【図２】
2012065108.tif 000004
【図３】
2012065108.tif 000005
【図４】
2012065108.tif 000006
【図５】
2012065108.tif 000007